【手続補正書】
【提出日】平成18年12月7日(2006.12.7)
【手続補正１】
【補正対象書類名】明細書
【補正対象項目名】特許請求の範囲
【補正方法】変更
【補正の内容】
【特許請求の範囲】
【請求項１】  オーディオデータ周波数係数のシーケンスを符号化する方法であって、
異なる周波数領域下位範囲の係数を異なる複数のエントロピー符号器を使用してエントロピー符号化するために、オーディオデータ周波数係数のシーケンスに対する１次元周波数領域範囲を第１周波数領域下位範囲と第２周波数領域下位範囲に分割するステップであって、エントロピー符号化効率に基づいて別々の周波数領域下位範囲を識別する統計分析に応じて、分割が行われるステップと、
前記第１周波数領域下位範囲の係数を、第１エントロピー符号器を使用して符号化するステップと、
前記第２周波数領域下位範囲の係数を、第２エントロピー符号器を使用して符号化するステップと
を含むことを特徴とする方法。
【請求項２】  符号化済み出力ストリームに、複数の周波数領域下位範囲についての、符号器を指定するフラグが欠落していることを特徴とする請求項１に記載の方法。
【請求項３】  エントロピー符号器の変更時に符号化済み出力ストリーム内に符号器を指定するフラグを埋め込むステップをさらに有し、該符号器を指定するフラグは符号化済みのオーディオデータ周波数係数についての周波数領域下位範囲の変更を示すことを特徴とする請求項１に記載の方法。
【請求項４】  前記第２エントロピー符号器がランレングス符号器を含むことを特徴とする請求項１乃至３のいずれかに記載の方法。
【請求項５】  前記第１エントロピー符号器が可変−可変エントロピー符号器を含むことを特徴とする請求項１乃至４のいずれかに記載の方法。
【請求項６】  前記統計分析では、オーディオデータ周波数係数のシーケンスを、前記第１エントロピー符号器および前記第２エントロピー符号器を使用して符号化した結果生じるビット伝送速度を測定することを特徴とする請求項１乃至５のいずれかに記載の方法。
【請求項７】  前記統計分析では、オーディオデータ周波数係数のモデルのシーケンスを、前記第１エントロピー符号器および前記第２エントロピー符号器を使用して符号化した結果生じるビット伝送速度を測定することを特徴とする請求項１乃至５のいずれかに記載の方法。
【請求項８】  前記分割に先立って、前記第１エントロピー符号器についての第１コードブックを用意するステップと、前記第２エントロピー符号器についての第２コードブックを用意するステップとをさらに有することを特徴とする請求項１乃至７のいずれかに記載の方法。
【請求項９】  前記統計分析はリアルタイムで実行されることを特徴とする請求項１乃至８のいずれかに記載の方法。
【請求項１０】  符号化済みオーディオ周波数係数のシーケンスを復号化するための方法であって、
異なる複数のエントロピー復号器を使用するエントロピー復号化のために、少なくとも第１周波数領域下位範囲と第２周波数領域下位範囲に分割された１次元周波数領域範囲を有する符号化済みオーディオ周波数係数のシーケンスを受信するステップであって、前記少なくとも第１周波数領域下位範囲および第２周波数領域下位範囲の各々が関連のエントロピー復号器を有し、
前記第１周波数領域下位範囲の係数を関連する第１エントロピー復号器で復号するステップと、
前記第２周波数領域下位範囲の係数を関連する第２エントロピー復号器で復号するステップと
を含むことを特徴とする方法。
【請求項１１】  範囲分割は予め決定されることを特徴とする請求項１０に記載の方法。
【請求項１２】  適切な関連の復号器の選択は復号化されるべき係数の周波数領域下位範囲に応じて自動的に行われることを特徴とする請求項１１に記載の方法。
【請求項１３】  前記範囲の分割は適応的であることを特徴とする請求項１０に記載の方法。
【請求項１４】  適切な関連の復号器の選択は符号器を指定するフラグによることを特徴とする請求項１３に記載の方法。
【請求項１５】  第２エントロピー復号器が、ランレングスエントロピー復号器を含むことを特徴とする請求項１０乃至１４のいずれかに記載の方法。
【請求項１６】  前記第１エントロピー復号器が可変−可変エントロピー復号器を含むことを特徴とする請求項１０乃至１５のいずれかに記載の方法。
【請求項１７】  前記第１エントロピー符号器がベクトルハフマンエントロピー符号器を含むことを特徴とする請求項１０乃至１５のいずれかに記載の方法。
【請求項１８】  前記受信するステップは、リアルタイムの再生のためのチャネルを介してストリーミングのパケットとして前記シーケンスを伝送するストリーミング伝送システムから前記シーケンスを受信するステップを含むことを特徴とする請求項１０乃至１７のいずれかに記載の方法。
【請求項１９】  前記第１周波数領域下位範囲は主として非ゼロの係数を含み、前記第２周波数領域下位範囲は主としてゼロの係数を含むことを特徴とする請求項１乃至１８のいずれかに記載の方法。
【請求項２０】  請求項１乃至１９のいずれかに記載の方法をコンピュータに実行させるためのコンピュータ実行可能命令をそこに格納したことを特徴とするコンピュータ読み取り可能媒体。
【請求項２１】  入力信号を、該入力信号の特性に応じた複数の符号化方法を使用して符号化するためのシステムであって、
時間領域オーディオ入力信号を受信するための入力と、
前記時間領域オーディオ信号を周波数領域オーディオ信号に変換するための信号変換器と、
前記周波数領域オーディオ信号を量子化された記号に変換するための量子化器と、
量子化された記号の１次元の周波数領域ゾーンに応じて、量子化された記号に対するエントロピー符号器を選択するためのモードセレクタであって、該モードセレクタが前記１次元の周波数領域ゾーンの量子化された記号の値の特性に基づいて、異なるエントロピー符号器を、複数の前記１次元の周波数領域ゾーンのそれぞれに調整可能に関連付け、および前記複数の１次元の周波数領域ゾーンと、複数の異なるエントロピー符号器との間の関連付けにより、符号器を指定するフラグなしでの復号器選択を行うモードセレクタと
を含むことを特徴とするシステム。
【請求項２２】  符号化済みオーディオ周波数係数のシーケンスを復号化するためのシステムであって、
エントロピー復号化のために少なくとも第１周波数領域下位範囲および第２周波数領域範囲に分割された周波数領域範囲を有する符号化済みオーディオ周波数係数のシーケンスを受信するためのオーディオデータ受信手段を有し、
前記周波数数領域範囲は異なる複数のエントロピー復号器を使用するエントロピー復号化のために分割され、前記第１周波数領域下位範囲および第２周波数領域範囲のそれぞれは異なる複数のエントロピー復号器の中の関連のエントロピーエントロピー復号器を有し、さらに、
前記第１周波数領域下位範囲の係数を復号化するための、前記第１周波数領域下位範囲と関連付けられた第１エントロピー復号器と、
前記第２周波数領域下位範囲の係数を復号化するための、前記第２周波数領域下位範囲と関連付けられた、前記第１エントロピー復号器とは異なる第２エントロピー復号器と
を有することを特徴とするシステム。
【請求項２３】  下位範囲の分割は予め決定され、適切なエントロピー復号器の選択は復号化される係数の周波数領域下位範囲にしたがって自動的に行われることを特徴とする請求項２２に記載のシステム。
【請求項２４】  下位範囲の分割は適応的であり、適切な関連のエントロピー復号器の選択は前記シーケンスについてのデータストリームの中のフラグにしたがって自動的に行われることを特徴とする請求項２２に記載のシステム。